(57)【特許請求の範囲】
【請求項１】
上側の布と下側の布とにより矩形袋状に形成されると共に、カバー周囲部の一部に設けられたスライドファスナーを有し、前記スライドファスナーを開閉操作してふとんを袋状内に出し入れするふとんカバーにおいて、
前記カバー周囲部のうち、前部から両側の左右前部分、及び後部から両側の左右後部分を各長さ（Ｍ）として１０〜１５ｃｍの範囲で縫製することによりカバー前後に断面コ形状の前後収容部をそれぞれ形成し、かつ、両側にあって前記縫製された前記左右前部分と前記左右後部分との間に前記スライドファスナーをそれぞれ設けるとともに、
前記上側の布にあって、前記前収容部における後端部位及び後収容部における前端部位にそれぞれ対応して幅方向に縫製した飾り用縫製部を設けていることを特徴とするふとんカバー。
【発明の詳細な説明】
【技術分野】
【０００１】
本発明は、矩形袋内にふとんを収納するふとんカバーに関し、特にふとんの出し入れ性を改良したふとんカバーに関するものである。
【背景技術】
【０００２】
最近のふとんカバーは、カバー周囲部の一部に設けられたスライドファスナーを開閉操作することで袋状カバー内にふとんを出し入れする構成となっている。これは、袋状カバー内にふとんを出し入れする開口部形成用として、スライドフッァスナーは上下の布（表地及び裏地）を上下紐で結んだり解いて開閉する紐構成に比べ操作性及び外観に優れているからである。
【０００３】
ところで、スライドファスナー（以下、ファスナーと省略する）を用いた開閉構造としては、矩形袋状の周囲部のうち、前後部及び一方側部の三辺を縫い合わせ、残りの他方側部つまり一辺だけにファスナーを取り付ける第１従来構成（特許文献１を参照）、前後部の一方及びそれに交差する左右側部分の三辺に連続したファスナーを取り付ける第２従来構成（特許文献２を参照）、一側部及びそれに交差する前後部の一方つまり二辺に連続したファスナーを取り付ける第３従来構成とがある。また、それ以外として、袋状を区画している上下の布のうち上側布にあって、ファスナーを左右中間の前後方向に取り付ける第４従来構成がある。
【特許文献１】実公平４−３７５０７号公報
【特許文献２】実開平５−２８２６２号公報
【発明の開示】
【発明が解決しようとする課題】
【０００４】
本出願人らは、上記第１〜第４の従来構成を検討してきた結果、何れもがふとんを出し入れする際の操作性や使い勝手から未だ満足できないことが分かった。
【０００５】
（ア）第１従来構成は、最も多く採用されているが、ファスナーが一辺だけであり、該ファスナーを介して一側部を開口した状態から、ふとんを袋状カバー内に押し入れると、反対側部が閉じているためふとんの奥側角部がカバー対応部からずれたとき一致させるのに手をカバー奥深く差し込まなくてはならず苦労する。
（イ）第２従来構成は、ファスナーが三辺にあり、袋内を前後部の一方から両側の途中まで大きく開口できるが、ファスナーが三辺に連続した略コ形状となるためファスナー角部の故障、更にはファスナースライド時の布噛み付き現象が生じ易くなる。また、カバー前後部の一方にも配置されるためそのファスナー部分が使用態様において人の首に当たる虞がある。
【０００６】
（ウ）第３従来構成は、ファスナーがＬ形となる関係で第２従来構成と同様な問題がある。また、第１従来構成と同様にふとんの奥側角部がカバー対応部からずれたとき一致させるのに手をカバー奥深く差し込まなくてはならず苦労する。
（エ）第４従来構成は、ファスナーが袋状を区画している上側の布にあるため、使用態様でのふとんカバーの表裏が決まってしまう。つまり、仮にファスナー側を下にすると異物感を与える。
【０００７】
以上のような問題は、例えば、目的のふとんがダブルふとんやコタツふとんのように大きくなるほど顕著となる。また、介護現場などでは、特にふとんカバーを頻繁に洗うため、ふとんをより簡単に出し入れしたり、交換時に腰等に加わる負担をより軽減できることが好ましい。そこで、本発明の目的は、ふとんカバーとして簡易な構成を維持して、従来品に比べてふとんの出し入れ性及び使い勝手により優れたふとんカバーを提供することにある。
【課題を解決するための手段】
【０００８】
上記目的を達成するため本発明は、上側の布と下側の布とにより矩形袋状に形成されると共に、カバー周囲部の一部に設けられたスライドファスナーを有し、前記スライドファスナーを開閉操作してふとんを袋状内に出し入れするふとんカバーにおいて、前記カバー周囲部のうち、前部から両側の左右前部分、及び後部から両側の左右後部分を各長さ（Ｍ）として１０〜１５ｃｍの範囲で縫製することによりカバー前後に断面コ形状の前後収容部をそれぞれ形成し、かつ、両側にあって前記縫製された前記左右前部分と前記左右後部分との間に前記スライドファスナーをそれぞれ設けるとともに、
【０００９】
前記上側の布にあって、前記前収容部における後端部位及び後収容部における前端部位にそれぞれ対応して幅方向に縫製した飾り用縫製部を設けていることを特徴としている。
【発明の効果】
【００１０】
請求項１の発明では、両側のスライドファスナーを開口すると、前後収容部に対応した前後部を除いて上側の布が幅方向均等に上方へ持ち上げられる。このため、ふとんを袋状カバー内に収納する場合は、図３に例示したごとくふとんの両側を丸めた状態で、前記開口部の一方から袋内に挿入した後、ふとんの一方側を巻き戻しながら対応収容部に配置する。この状態では、ふとんが巻き戻した側が対応収容部に拘束されているため、以後は他方側を巻き戻しながら対応収容部に配置する。その後、両側のスライドファスナーを閉操作する。ふとんを取り出す場合は逆操作により行える。そして、本発明では以下のような利点を具備できる。
【００１１】
（１）本発明では、例えば、ふとんの収納操作において、袋状カバーの両側部にあって前後収容部を除いた箇所に設けられた二本のスライドファスナーを有しているため、図３（ａ），（ｂ）のごとく前後収容部に対応した前後部を除いて上側の布が幅方向均等に上方へ容易に持ち上げることができ、それによりふとんの出し入れが容易となり負荷も受け難く、女性や老人にも操作し易いものとなる。また、コタツふとんやダブルふとんのように大きなふとんでも正確かつ容易に出し入れ可能となる。
（２）本発明では、袋状カバーの前後部に設けられたコ形状の前収容部及び後収容部により、例えば、ふとん収納操作ではふとん前後部の一方を対応収容部に拘束ないしは位置決めし、その状態からふとん前後部の他方を対応収容部に入れるだけで正確に収納でき、ふとん前後のずれがなくなるなど操作性を向上できる。
（３）本発明の各スライドファスナーは、直線形ファスナーとなるため上記従来のＬ形やコ形ファスナーに比べて故障し難く、しかも袋状カバーの周囲のうち両側に取り付けられているため、使用状態でふとん前後を逆にしてもファスナー部分に接して異物感を与えるという虞がない。
【００１２】
（４）本発明では、図１のＭの長さが１０ｃｍより短くなると上記した前後収容部のふとん拘束作用ないしは位置決め作用が損なわれ、１５ｃｍより長くなるとふとんの前後部を対応収容部へ入れただけではふとんの角部が収容部の対応部に一致せず弾けやすくなって不安定となる、そのような不具合を防止できる。
【発明を実施するための最良の形態】
【００１３】
以下、本発明に係るふとんカバーについて、図１〜図３に示した形態例と、図４に示した変形例について詳述する。
【００１４】
（構造）図１に示したふとんカバー１は、シングルタイプの敷き布団用を想定したもので、長さＬが２００ｃｍ、幅Ｌ1が１0０ｃｍ程度の大きさである。カバー構造としては、前後部１０，１１及び両側１２を有した矩形袋状に形成されると共に、カバー周囲部の一部に設けられたスライドファスナー３を有し、該スライドファスナー３を開閉操作してふとんを袋状内に出し入れする点で従来と同じ。工夫点は、特に、カバー前後に断面コ形状の前収容部１３及び後収容部１４が対向して設けられている構成と、スライドファスナー３が両側部１２にあって、前後収容部１３，１４を除いた両側部分にそれぞれ設けられている構成とにある。なお、ふとんカバー１は、カバー周囲部のうち、前部１０及び後部１１がそれぞれ幅方向の縫製部５，６で閉じられていると共に、前部１０から両側部１２である左右前部分つまり符号Ｍの長手方向前部分、及び後部１１から両側部１２である左右後部分つまり符号Ｍの長手方向後部分がそれぞれ縫製部７，８で閉じられている。
【００１５】
詳述すると、ふとんカバー１は、例えば、布２の構成として、上側の布２Ａと下側の布２Ｂとからなり、各布２Ａ，２Ｂが重ねられた状態で矩形袋状に形成されると共に、図３のごとくふとん２０の前後端部を収納する前後収容部１３，１４及び両側部１２の中間部を開閉する２つのスライドファスナー３を有している。符号５と６は、上側の布２Ａと下側の布２Ｂとの前縁同士又は後縁同士を接続している縫製部である。符号７と８は、図２（ｂ）の拡大部に示したごとく上側布２Ａの側縁２ａと下側布２の側縁２ｂとを接続している縫製部である。各縫製部７，８の長さＭは１０〜１５ｃｍの範囲が好ましい。各スライドファスナー３は、両側部１２にあって、前側縫製部７と後側縫製部８との間に配置されている。符号９は、上側の布２Ａにあって、前収容部１３及び後収容部１４に対応して幅方向に縫製した飾り用縫製部である。符号ａ〜ｄは上側の布２Ａと下側の布２Ｂの接続ラインである。
【００１６】
ここで、前記Ｍ値は次のような現象ないしは理由から設定されている。まず、Ｍ値が１０ｃｍより短いと、縫製部５及び両前側の縫製部７で区画される前収容部１３の奥行きが浅くなって、ふとん２０をふとんカバー１に収納操作する際にふとん２０の前又は後端部を動かないよう規制したり位置決め作用として不充分となる。逆に、Ｍ値が１５ｃｍより長いと、前収容部１３の奥行きが深くなって、ふとん２０を収納操作する際にふとん２０の前又は後端部を入れただけだとふとん角部がカバー対応部に一致しなかったり位置ずれし易くなったり、図３のごとくスライドファスナー３の長さも短くなって開口部１８も小さくなるからである。
【００１７】
スライドファスナー３は、図２（ａ）及び図２（ｃ）の拡大部に示したごとく上側の布２Ａの側縁２ａに沿って取り付けられた一方ファスナー片３Ａと、下側の布２Ｂの側縁２ｂに沿って取り付けられた他方ファスナー片３Ｂと、ファスナー片３Ａ，３Ｂ同士を係合したり係合解除する開閉部材４とを有している。この場合、ファスナー片３Ａは、側縁２ａが比較的長い折り返し部２ｃを介して内側に配置され、該折り返し部２ｃの上側に沿って縫製により取り付けられている。符号１５はその縫製部である。ファスナー片３Ｂは、側縁２ｂの内側折り返し部に沿って縫製により取り付けられている。符号１６はその縫製部である。以上のファスナー取付構造では、両ファスナー片３Ａ，３Ｂの係合状態において、上側折り返し部２ｃがファスナー片３Ａ，３Ｂの外側に垂れ下げられることで見栄えを良好に保つ。
【００１８】
（使用例）図３は以上のふとんカバー１にふとんを収納する操作例を示している。作業者は、まず、ふとんカバー１を長手方向に拡げると共に両側のスライドファスナー３を開閉部材４により開状態にする。その後、ふとん２０の両側を前後中間部に向けて巻いた状態とし、また、図３（ａ）のごとく上側の布２Ａを持ち上げることでふとんカバー１の側部１２に開口部１８を形成する。この開口部１８は、両側部１２が各スライドファスナー３を介して開状態となっているため、上側の布２Ａを持ち上げると、上側の布２Ａが幅方向に均等に持ち上げられ、それにより左右略同大のトンネル状となっている。従って、作業者は、ふとん２０を両側巻き状態で、片側開口部１８からふとんカバー１内の前後中間部に容易に配置可能となる。
【００１９】
図３（ｂ）は、ふとんカバー１内に入れられたふとん２０の片側を巻方向と反対側に巻き解した状態を示している。この状態では、ふとん前部（後部）が前収容部１３（後収納部１４）に収容されて拘束ないしは位置決めされている。図３（ｃ）は、更にふとん後部（前部）を巻方向と反対側に巻き解した状態を示している。すなわち、これらの操作では、ふとん２０の前後部の一方を巻き解して対応収容部に収容した後、他方を巻き解して対応収容部に入れるだけでよく、ふとん前後のずれがなくなるなど操作性を向上できる。図３（ｄ）は両側の各スライドファスナー３を開閉部材４を介して閉じた収納完了状態である。なお、ふとん２０を再びふとんカバー１から取り出す場合は、上記した手順と逆操作により簡単に行える。そして、以上のふとんカバー構造において、各スライドファスナー３は、直線形ファスナーのため従来のＬ形やコ形ファスナーに比べて故障を起こし難く、また、袋状カバーの周囲部のうち、両側に取り付けられている関係でふとん使用状態として、ふとん前後を逆にしてもファスナー部分に接して異物感を与えるという虞がない。
【００２０】
図４の変形例は、以上のふとんカバー構造をコタツふとん用を想定したもので、長さＬ2が２５０ｃｍ、幅Ｌ1が２００ｃｍ程度の大きさである。この説明では、上記形態と同じ部材及び部位に同一符号を付して、重複した記載を極力省く。
【００２１】
このふとんカバー１Ａは、ふとんがコタツふとんやダブルふとんのようにかなり大きくなると、両側部１２の左右前部分及び左右後部分の各長さＭ1を大きして前収容部１３及び後収容部１４を深くしないとふとん対応部を拘束できなかったりずれやすくなるため、前収容部１３の内側、及び後収容部１４の内側にふとん側対応部（通常は角部に設けられたループ部）を掛け止める取付紐１７を設けた構成である。取付紐１７は、従来と同様に対応する縫製部５，７又は縫製部６，８と共縫いしたものである。
【００２２】
本発明らは、上記形態の要部構成を大きさの異なるふとん用に作成し、また、上記ＭやＭ1の長さを１０〜１５ｃｍにしたものを作成してふとん収納性を調べた。その結果、ふとんカバー１Ａとしては、カバー前後の長さが２１０ｃｍ以上、幅が１９０ｃｍ以上の場合、前後の収容部１３，１４内に縫製により取り付けられてふとん側対応部を掛け止める取付紐１７を有していることが好ましいことが分かった。
【００２３】
すなわち、以上の取付紐１７は、前後の収容部１３，１４内にあって、スライドファスナー３の開状態で手が届き易い角部に設けられており、収納されるふとんを位置規制可能にする。この点は、特に、コタツふとんやダブルふとんのように大きくなると、前後の収容部１３，１４の規制作用や位置決め作用が不充分となる。対策としては、袋状カバーの両側部１２の左右前部分及び左右後部分の各長さＭ又はＭ1を１５ｃｍより長くすることも有効であるが、その場合は上述したふとんの角部が対応する収容部の対応部に一致せず弾けやすくなって不安定となる。この構造はそのような問題を避ける上で工夫されたものである。
【００２４】
なお、本発明のふとんカバーは、請求項で特定される構成を実質的に備えておればよく、細部は各形態を参考にして更に変更可能なものである。
【図面の簡単な説明】
【００２５】
【図１】第１形態のふとんカバーを模式的に示し、（ａ）は上面図、（ｂ）は側面図、（ｃ）は前又は後端面図である。
【図２】上記ふとんカバーの構成を示し、（ａ）は上記ふとんカバーの模式外観図、（ｂ）は図１のＡ−Ａ線断面図、（ｃ）は図１のＢ−Ｂ線断面図である。
【図３】（ａ）〜（ｄ）は上記ふとんカバーにふとんを収納する操作例を示している。
【図４】第２形態のふとんカバーを模式的に示し、（ａ）は上面図、（ｂ）は側面図、（ｃ）は前又は後端面図、（ｄ）は（ａ）のＣ部内側構成を模式的に示す拡大図である。
【符号の説明】
【００２６】
１，１Ａ…ふとんカバー（１０，１１は前後部、１２は両側部）
２…布（２Ａは上側の布、２Ｂは下側の布）
３…スライドファスナー（３Ａは一方ファスナー、３Ｂは他方ファスナー）
５〜９…縫製部
１３，１４…ふとんカバーの前後収容部
１８…開口部
【図１】
0005322048.tif 000002
【図２】
0005322048.tif 000003
【図３】
0005322048.tif 000004
【図４】
0005322048.tif 000005